(57)【要約】      （修正有）【課題】福祉・看護・介護用木製ベッドにおいて、ベッドヘッドボードとフッドボードの内外表面に磁性シート付着化粧板を取り付けて紙片を容易に貼り付け可能な木製ベッド枠体を提供する。【解決手段】木製のヘッドボード４及びフットボード５の両側に、一対の木製のサイドフレーム６を連結している木製のベッド枠と、ベッド枠の内側に配設している金属枠と、金属枠に部分的に昇降可能な押上機付きネット状の寝板と固定ネット寝板を備えるベッド本体とからなる福祉・看護・介護用ベッドの木製ベッド枠体であって、ヘッドボード、及びフッドボードの表面の一部に、０．５〜３ｍｍの厚さのボンド磁性シート２を付着可能な表装材とスチール箔と木質板を含む着磁化粧板７を貼りつける。【選択図】図３
0003231096.tif 000002
【実用新案登録請求の範囲】
【請求項１】
木製のヘッドボード及びフットボードの両側に、一対の木製のサイドフレームを連結している木製のベッド枠と、このベッド枠の内側に配設している金属枠と、この金属枠に部分的に昇降可能な押上機付きネット状の寝板と固定ネット寝板とマットレスを備えるベッド本体とからなる福祉・看護・介護用ベッドの木製ベッド枠体において、ヘッドボード、及びフッドボードの表面の一部に、０．５〜３ｍｍの厚さのボンド磁性シートを付着可能になっている表装材とスチール箔と木質板を含む化粧板を貼りつけていることを特徴とするベッドボードに磁着化粧板を使用した木製ベッド枠体。
【請求項２】
木製ベッド枠体におけるヘッドボード、及びフッドボード及びサイドフレームは、厚さ２０〜３０ｍｍの無垢材、合板積層体、ＭＤＦ、フラッシュボード、パチクルボードから選ばれた材料を使用して，その表面には、ボンド磁性シートを付着できる装飾性表装材である化粧板を貼り付けており、前記化粧板の表装材の表面は、０・０５〜１ｍｍの生地色から濃厚色、又は自然素材の木質の質感をもつ模様を施した紙体、又は突板、又は樹脂フイルムを貼って、磁気吸着力を持つ表面体内に２５〜２００μｍの厚さのスチール箔を含んでいる木質盤からなる磁着可能な化粧板付きボードになっていることを特徴とする請求項１に記載のベッドボードに磁着化粧板を使用した木製ベッド枠体。
【請求項３】
木製ベッド枠体におけるヘッドボード、及びフッドボードは、ベッド本体の内表面と外表面と合わせた面積で３０〜１００％にボンド磁性シートを付着できる装飾性表装材を張り付けている木質ボードになり、前記ボンド磁性シートは、人物、自然、風景、アニメから選ばれた図柄、写真、及び計画表、或はメモ書表などであって、色彩、模様、形状で自由に選択を行うことによって、それらの形状と併せて、色彩・模様で自由に選択を付着させるボンド磁性シートで、ベッド枠体のボード表面に付着させて使用できるようになっていることを特徴とする請求項１、又は請求項２に記載のベッドボードに磁着化粧板を使用した木製ベッド枠体。
【請求項４】
ベッド枠体の幅２５０〜３５０ｍｍのサイドフレームは、内側に載ロッドを固定して、この載ロッドの上にマットレスを敷くベッド本体を載せて固着しており、９５０〜１０５０ｍｍ幅、７５０〜８５０ｍｍ高さのヘッドボードと、９５０〜１０５０ｍｍ幅、５５０〜６５０ｍｍ高さのフットボードは、内面であってサイドフレームの端部を連結する位置に上下に離して設置できるフック状金具を設けており、サイドフレームは、操作容易にした取手付きヘッドボードと取手付きフットボードに連結されるフック状金具を両端に固定していることを特徴とする請求項１、又は請求項２に記載のベッドボードに磁着化粧板を使用した木製ベッド枠体。
【考案の詳細な説明】
【技術分野】
【０００１】本考案は、福祉・看護・介護用ベッドの木製ベッド枠体において、ベッドヘッドボードとフッドボードの内外表面に磁性シート付着化粧板を張り付けて、必要項目記載、或いは好みの写真・絵を好むところにボンド磁性シートを付着させるようになっているベッドボードに磁着化粧板を使用した木製ベッド枠体に関するものである。
【背景技術】
【０００２】介護用ベッドは、ヘッドボード及びフットボードの両側に、一対のサイドフレームを連結している木製のベッド枠と、ベッド枠の内側に配設している金属枠と、金属枠の上に固定している寝板とを備える。サイドフレームの内側に載ロッドを固定して、載ロッドの上に金属枠を載せて固定している。ヘッドボードとフットボードは、サイドフレームの端部を連結する位置に、上下に離して複数の雌ネジ穴を設けている。サイドフレームは両端にＬ金具を固定しており、このＬ金具の脱着片を、雌ネジ穴にねじ込んでいる止ネジを介して脱着できるようにヘッドボードとフットボードに固定した、安価で、ベッドの寝板を配置する枠の強度を向上する介護用ベッドを提供することが提案されている（特許文献１参照）。【０００３】目に届く箇所に計画表、投薬表等の紙片をマグネットの磁着可能な化粧版を取り付けていることによって紙片を容易に貼り付けることができる床頭台として、木製板材で構成された引き出、或は開き戸付き棚、或は小型冷蔵庫収納可能な空間棚、及びスライドテーブルを持つ収納部とその上段のテレビなどの載置台３と、又は上部に開き戸付き棚部とからなる木製床頭台１において、床頭台１の両側板７、及び１０００ｍｍ以上の高さにある上部位置になる開き戸６の全部、又は５０％以上の面積部分に、表装材とスチール箔を含む化粧板を使用したものが提案されている（特許文献２参照）。【０００４】  そこで木質系の板面などマグネットを吸着できない板面に対して、マグネットを吸着できるようにした考案もあるが、この考案はマグネットを吸着可能な板体と、その片面に貼着された離型紙付きの両面接着テープとでマグネット用取付け座を構成し、離型紙を剥がして両面接着テープによって木質系板面に接着して、マグネットを吸着可能な板体にマグネットを磁着させることで紙片を固定させることができることが提案されている（特許文献３参照）。【０００５】病院内の部屋の自然環境をもたらされる木製家具、バッドなど什器において、病院内での一週間の予定表や投薬表などの計画表などの紙片を常時安定的に貼って、傷つかないことのできる木製家具、ベッドについてはほとんど存在していない。またダイニングボード、およびリビングボードの家具を色彩において自由に選択できるようになっているボンド磁性シートを付着させる医療、介護、看護での木製什器ものが望まれている。
【先行技術文献】
【特許文献】
【０００６】
【特許文献１】特開２００７−２８９３７８号公報
【特許文献２】実用新案登録第３２０６７７７号号公報
【特許文献３】特開２００２−２７４０８９号公報
【考案の概要】
【考案が解決しようとする課題】
【０００７】  近年、介護施設、病院内では入所者、患者重視の観点からベット数を少なくしてゆとりのある入院生活ができるように快適な介護室、病室に改造する病院、施設が増えてきている。また、高級感やあたたかいイメージ、自然的雰囲気を演出するために木製床頭台、ベッド、什器を使用するところが多くなってきており、予定表や投薬表などの計画表などの紙片、或いは写真、説明書を押しピンやテープによって貼っているのが現状であるが、押しピンではボードが穴だらけとなり、交換、書き込みなどが困難であった。またテープでは特にベッドヘッドボード、フッドボードの板面に張られた化粧紙が破れたりするなどの問題があった。【０００８】  また、前記マグネット用取付け座を壁面に取り付ける場合には、紙片を貼り付けているときは外観上損傷をもたらし、また機能的に支障をきたすことはないが、紙片を取り外した場合にはマグネット用取付け座が露出した状態となり、見た目が悪くなるなどの問題がある。さらに、マグネット用取付け座を剥ぎ取る場合には、ボード面に貼られた化粧紙が破れたり、位置を変更する場合などの困難をきたしていた。【０００９】  本考案は、以上の点に鑑みて創案されたものであって、木製表装材とスチール箔を含む化粧板を木製ベッドの枠体であるボードの重要箇所の部分的に取り付けることによって紙片を容易に貼り付けることができるマグネット吸着できる木製床頭台を提供することを目的とするものである。
【課題を解決するための手段】
【００１０】木製のヘッドボード及びフットボードの両側に、一対の木製のサイドフレームを連結している木製のベッド枠と、このベッド枠の内側に配設している金属枠と、この金属枠に部分的に昇降可能な押上機付きネット状の寝板と固定ネット寝板とマットレスとを備えるベッド本体とからなる福祉・看護・介護用ベッドの木製ベッド枠体において、ヘッドボード、及びフッドボードの表面の一部に、０．５〜３ｍｍの厚さのボンド磁性シートを付着可能になっている表装材とスチール箔と木質板を含む化粧板を貼りつけているベッドボードに磁着化粧板を使用した木製ベッド枠体である。【００１１】木製ベッド枠体におけるヘッドボード、及びフッドボード及びサイドフレームは、厚さ２０〜３０ｍｍの無垢材、合板積層体、ＭＤＦ、フラッシュボード、パチクルボードから選ばれた材料を使用して，その表面には、ボンド磁性シートを付着できる装飾性表装材である化粧板を貼り付けており、前記化粧板の表装材の表面は、０・０５〜１ｍｍの生地色から濃厚色、又は自然素材の木質の質感をもつ模様を施した紙体、又は突板、又は樹脂フイルムを貼って、磁気吸着力を持つ表面体内に２５〜２００μｍの厚さのスチール箔を含んでいる木質盤からなる磁着可能な化粧板付きボードになっている。【００１２】木製ベッド枠体におけるヘッドボード、及びフッドボードは、ベッド本体の内表面と外表面と合わせた面積で３０〜１００％にボンド磁性シートを付着できる装飾性表装材を張り付けている木質ボードになり、前記ボンド磁性シートは、人物、自然、風景、アニメから選ばれた図柄、写真、及び計画表、或はメモ書表などであって、色彩、模様、形状で自由に選択を行うことによって、それらの形状と併せて、色彩・模様で自由に選択を付着させるボンド磁性シートで、ベッド枠体のボード表面に付着させて使用できるようになっている。【００１３】ベッド枠体の幅２５０〜３５０ｍｍのサイドフレームは、内側に載ロッドを固定して、この載ロッドの上にマットレスを敷く金属製ベッド本体を載せて固着しており、９５０〜１０５０ｍｍ幅、７５０〜８５０ｍｍ高さのヘッドボードと、９５０〜１０５０ｍｍ幅、５５０〜６５０ｍｍ高さのフットボードは、内面であってサイドフレームの端部を連結する位置に上下に離して設置できるフック状金具を設けており、サイドフレームは、操作容易にした取手付きヘッドボードと取手付きフットボードに連結されるフック状金具を両端に固定している。
【考案の効果】
【００１４】  本考案の木製用ベッド枠体によれば、ヘッド、フッドのボードの表面にマグネットが磁着する化粧紙によって覆うことによって外観上を損なうことなく、常時目に届く位置にマグネットによる計画表、写真などの紙片の貼り付けが容易に行うことができる。また、押しピンやテープなどによって予定表や投薬表などの計画表などの紙片を側面に貼り合わせることがないために、木製ベッドのボードの外観の壁面を傷つけることがなく、使用し続けることが可能となる。【００１５】ベッドのボードの表面仕上げする対象面に磁性シート付着化粧板を張り付けて、家具の好むところにボンド磁性シートを付着させて、家具全体の様式、模様を自由に選択できるようになり、好みの絵柄、メモ書き板を貼ったシートによって介護施設、病院のベッドを状況によって模様替えした部屋にしても，満足感がえられて，結果的に上記施設の部屋、病室で調和のとれた部屋の状況となった。【００１６】ボンド磁性シートは、人物、自然、風景、アニメから選ばれた図柄、写真、及び計画表、或はメモ書表などであって、色彩、模様、形状で自由に選択を行うことによって、それらの形状と併せて、色彩・模様で自由に選択を付着させるボンド磁性シートで、しかも家具の表面を平面状態に近く、所望の形状と模様で単純な色彩を持った家具表面に付着させて使用できるようになっている
上述の方法でボンド磁性シートを貼ることでベッドの周りの模様替えすることで、顧客が要望された自由な色彩、寸法の介護、看護、病院でのベッドでのボードの装飾性高めるものを提供することができる。
【図面の簡単な説明】
【００１７】
【図１】ベッドボードに磁着化粧板を使用した木製ベッド枠体の斜視図である。Ａ：外見面  Ｂ：ヘッドボード面  Ｃ：フッドボード面
【図２】ベッドボードに磁着化粧板を使用した木製ベッド枠体の部品の図である。Ａ：ヘッドボード（断面も）  Ｂ：フッドボード（断面も）  Ｃ：サイドフレーム
【図３】ベッドボードに磁着化粧板を使用した木製ベッド枠体を使用した斜視図である。Ａ：側面図  Ｂ：斜視図
【考案を実施するための形態】
【００１８】以下、本考案の実施形態について、図面を参照して説明する。
図１は、ベッドボードに磁着化粧板を使用した木製ベッド枠体の斜視図である。
図２は、ベッドボードに磁着化粧板を使用した木製ベッド枠体の部品の図である。図３は、ベッドボードに磁着化粧板を使用した木製ベッド枠体を使用した斜視図である。
【実施例１】
【００１９】図１に示すように、木製のヘッドボード及びフットボードの両側に、一対の木製のサイドフレームを連結している木製のベッド枠と、このベッド枠の内側に配設している金属枠と、この金属枠に部分的に昇降可能な押上機付きネット状の寝板と固定ネット寝板とマットレスとを備えるベッド本体とからなる福祉・看護・介護用ベッドの木製ベッド枠体において、ヘッドボード、及びフッドボードの表面の一部に、ボンド磁性シートを付着可能になっている表装材とスチール箔と木質板を含む化粧板を貼りつけているベッドボードに磁着化粧板を使用した幅９８０ｍｍ、長さ２０５０ｍｍの木製ベッド枠体にした。【００２０】図２に示すように、木製ベッド枠体における幅９８０ｍｍ、高さ８２５ｍｍのヘッドボードと幅９８０ｍｍ、高さ６２５ｍｍのフッドボードと、幅３００ｍｍ。長さ２０００ｍｍのサイドフレームは、厚さ２５ｍｍの合板積層体の材料を使用して，その表面には、ボンド磁性シートを付着できる装飾性表装材である３ｍｍ厚さの化粧板を貼り付けており、前記化粧板の表装材の表面は、０・１ｍｍの自然素材の木質の質感をもつ模様を施した紙体を貼って、磁気吸着力を持つ表面体内に２００μｍの厚さのスチール箔を含んでいる木質板からなる磁着可能な化粧板付きボードにした。とくにヘッドボードとフッドボードには持ち上げ、移動に便利な取手を取り付けた。【００２１】図３に示すように、木製ベッド枠体におけるヘッドボードの内表面、及びフッドボードの外表面は、上部のっ面積での６０％にボンド磁性シートを付着できる装飾性表装材を張り付けている木質ボードになり、前記ボンド磁性シートは、人物、自然、風景、アニメから選ばれた図柄、写真、及び計画表、或はメモ書表などであって、色彩、模様、形状で自由に選択を行うことによって、ベッド枠体のボード表面に付着させて使用できるようにした。使用される方に満足感を与え、またお世話する方に、計画、処方などの予定が交換利用で便利となった。【００２２】ベッド枠体の幅３００ｍｍのサイドフレームは、内側に載ロッドを固定して、この載ロッドの上にマットレスを敷く金属製ベッド本体を載せて固着しており、前記のヘッドボードと、フットボードは、内面であってサイドフレームの端部を連結する位置に上下に離して設置できるフック状金具を設けており、サイドフレームは、操作容易にした取手付きヘッドボードと取手付きフットボードに連結されるフック状金具を両端に固定した。これによってベッドの上部を自動的に押し上げることができて、ベッドでの作業、食事が便利になり、その用具を周辺に置くことが可能となった。
【実施例２】
【００２３】図１に示すように、木製のヘッドボード及びフットボードの両側に、一対の木製のサイドフレームを連結している木製のベッド枠と、このベッド枠の内側に配設している金属枠と、この金属枠に部分的に昇降可能な押上機付きネット状の寝板と固定ネット寝板とマットレスとを備えるベッド本体とからなる福祉・看護・介護用ベッドの木製ベッド枠体において、ヘッドボード、及びフッドボードの表面の一部に、ボンド磁性シートを付着可能になっている表装材とスチール箔と木質板を含む化粧板を貼りつけているベッドボードに磁着化粧板を使用した幅１０００ｍｍ、長さ２１００ｍｍの木製ベッド枠体にした。【００２４】図２に示すように、木製ベッド枠体における幅１０００ｍｍ、高さ８５５ｍｍのヘッドボードと幅１０００ｍｍ、高さ６５５ｍｍのフッドボードと、幅３１０ｍｍ。長さ２１００ｍｍのサイドフレームは、厚さ３０ｍｍのＭＤＦの材料を使用して，その表面には、ボンド磁性シートを付着できる装飾性表装材である３ｍｍ厚さの化粧板を貼り付けており、前記化粧板の表装材の表面は、０・１ｍｍの自然素材の木質の質感をもつ模様を施した樹脂フイルムを貼って、磁気吸着力を持つ表面体内に１００μｍの厚さのスチール箔を含んでいる木質板からなる磁着可能な化粧板付きボードにした。とくにヘッドボードとフッドボードには持ち上げ、移動に便利な取手を取り付けた。【００２５】図３に示すように、木製ベッド枠体におけるヘッドボードの内表面、及びフッドボードの外表面は、上部の面積での５０％にボンド磁性シートを付着できる装飾性表装材を張り付けている木質ボードになり、前記ボンド磁性シートは、人物、自然、風景、アニメから選ばれた図柄、写真、及び計画表、或はメモ書表などであって、色彩、模様、形状で自由に選択を行うことによって、ベッド枠体のボード表面に付着させて使用できるようにした。使用される方に満足感を与え、またお世話する方に、計画、処方などの予定が交換利用で便利となった。【００２６】ベッド枠体の幅３１０ｍｍのサイドフレームは、内側に載ロッドを固定して、この載ロッドの上にマットレスを敷く金属製ベッド本体を載せて固着しており、前記のヘッドボードと、フットボードは、内面であってサイドフレームの端部を連結する位置に上下に離して設置できるフック状金具を設けており、サイドフレームは、操作容易にした取手付きヘッドボードと取手付きフットボードに連結されるフック状金具を両端に固定した。これによってベッドの上部を自動的に押し上げることができて、ベッドでの作業、勉強、食事が便利になり、その用具を周辺に置いて、収納しておくことが可能となった。また写真、計画書をフットボードの内面に貼っておると気分的に癒された。
【符号の説明】
【００２７】１、ベッド
２、ボンド磁性シート
３、表面
４．ヘッドボード
５、フッドボード
６．サイドフレーム
７．着磁化粧板、
８．メモシート
９、表装材
１０、スチール箔
１１、木質板
１２、棒磁石
１３、固定ネット寝板
１４、マットレス
１５、取手
１６、内面
１７、外面
１８、小物入箱
【図１】
0003231096.tif 000003
【図２】
0003231096.tif 000004
【図３】
0003231096.tif 000005
【手続補正書】
【提出日】平成31年2月13日(2019.2.13)
【手続補正１】
【補正対象書類名】実用新案登録請求の範囲
【補正対象項目名】全文
【補正方法】変更
【補正の内容】
【実用新案登録請求の範囲】
【請求項１】
木製のヘッドボード及びフットボードの両側に、一対の木製のサイドフレームを連結している木製のベッド枠と、このベッド枠の内側に配設している金属枠と、この金属枠に部分的に昇降可能な押上機付きネット状の寝板と固定ネット寝板とマットレスを備えるベッド本体とからなる福祉・看護・介護用ベッドの木製ベッド枠体において、ヘッドボード、及びフッドボードの表面の一部に、０．５〜３ｍｍの厚さのボンド磁性シートを付着可能になっている表装材とスチール箔と木質板を含む化粧板を貼りつけていることを特徴とするベッドボードに磁着化粧板を使用した木製ベッド枠体。
【請求項２】
木製ベッド枠体におけるヘッドボード、及びフッドボード及びサイドフレームは、厚さ２０〜３０ｍｍの無垢材、合板積層体、ＭＤＦ、フラッシュボード、パチクルボードから選ばれた材料を使用して、その表面には、ボンド磁性シートを付着できる装飾性表装材である化粧板を貼り付けており、前記化粧板の表装材の表面は、０・０５〜１ｍｍの生地色から濃厚色、又は自然素材の木質の質感をもつ模様を施した紙体、又は突板、又は樹脂フイルムを貼って、磁気吸着力を持つ表面体内に２５〜２００μｍの厚さのスチール箔を含んでいる木質盤からなる磁着可能な化粧板付きボードになっていることを特徴とする請求項１に記載のベッドボードに磁着化粧板を使用した木製ベッド枠体。
【請求項３】
木製ベッド枠体におけるヘッドボード、及びフッドボードは、ベッド本体の内表面と外表面と合わせた面積で３０〜１００％にボンド磁性シートを付着できる装飾性表装材を張り付けている木質ボードになり、前記ボンド磁性シートは、人物、自然、風景、アニメから選ばれた図柄、写真、及び計画表、或はメモ書表などであって、色彩、模様、形状で自由に選択を行うことによって、それらの形状と併せて、色彩・模様で自由に選択を付着させるボンド磁性シートで、ベッド枠体のボード表面に付着させて使用できるようになっていることを特徴とする請求項１、又は請求項２に記載のベッドボードに磁着化粧板を使用した木製ベッド枠体。
【請求項４】
ベッド枠体の幅２５０〜３５０ｍｍのサイドフレームは、内側に載ロッドを固定して、この載ロッドの上にマットレスを敷くベッド本体を載せて固着しており、９５０〜１０５０ｍｍ幅、７５０〜８５０ｍｍ高さのヘッドボードと、９５０〜１０５０ｍｍ幅、５５０〜６５０ｍｍ高さのフットボードは、内面であってサイドフレームの端部を連結する位置に上下に離して設置できるフック状金具を設けており、サイドフレームは、操作容易にした取手付きヘッドボードと取手付きフットボードに連結されるフック状金具を両端に固定していることを特徴とする請求項１、又は請求項２に記載のベッドボードに磁着化粧板を使用した木製ベッド枠体。
【手続補正書】
【提出日】令和2年7月14日(2020.7.14)
【手続補正１】
【補正対象書類名】実用新案登録請求の範囲
【補正対象項目名】全文
【補正方法】変更
【補正の内容】
【実用新案登録請求の範囲】
【請求項１】
木製のヘッドボード及びフットボードの両側に、一対の木製のサイドフレームを連結している木製のベッド枠と、このベッド枠の内側に配設している金属枠と、前記金属枠に取り付けている昇降可能な押上機と、前記金属枠内の表面に張った金属製ネット体と、前記金属製ネット体に載せるマットレスとを備えるベッド本体とからなる福祉・看護・介護用ベッドの木製ベッド枠体において、頭部に位置するヘッドボード、及び足部に位置するフッドボードの表面の一部に、０．５〜３ｍｍの厚さのボンド磁性シートを付着可能になっている表装材とスチール箔と木質板とを含むボード状化粧板を取り付けていることを特徴とするベッドボードに磁着化粧板を使用した木製ベッド枠体。
【請求項２】
木製ベッド枠体におけるヘッドボード、及びフッドボード及びサイドフレームは、厚さ２０〜３０ｍｍの無垢材、合板積層体、ＭＤＦ、フラッシュボード、パチクルボードから選ばれた材料を使用して，その表面には、ボンド磁性シートを付着できる装飾性表装材であるボード状化粧板を貼り付けており、前記ボード状化粧板の表装材の表面は、０・０５〜１ｍｍの生地色から濃厚色、又は自然素材の木質の質感をもつ模様を施した紙体、又は突板、又は樹脂フイルムを貼って、磁気吸着力を持つ表面体内に２５〜２００μｍの厚さのスチール箔を含んでいる磁着可能なボード状化粧板になっていることを特徴とする請求項１に記載のベッドボードに磁着化粧板を使用した木製ベッド枠体。
【請求項３】
木製ベッド枠体におけるヘッドボード、及びフッドボードは、ベッド本体の内表面と外表面と合わせた面積で３０〜１００％にボンド磁性シートを付着できる装飾性表装材を張り付けているボード状化粧板になり、前記ボード状化粧板に張るボンド磁性シートは、人物、自然、風景、アニメから選ばれた図柄、写真、及び計画表、或はメモ書表などであって、色彩、模様、形状で自由に選択を行うことによって、それらの形状と併せて、色彩・模様で自由に選択を付着させるボンド磁性シートで、ベッド枠体のボード状化粧板の表面に付着させて使用できるようになっていることを特徴とする請求項１、又は請求項２に記載のベッドボードに磁着化粧板を使用した木製ベッド枠体。
【請求項４】
ベッド枠体の幅２５０〜３５０ｍｍのサイドフレームは、内側に置載ロッドを固定して、前記置載ロッドの上にマットレスを敷いたベッド本体に固着しており、９５０〜１０５０ｍｍ幅、７５０〜８５０ｍｍ高さのヘッドボードと、９５０〜１０５０ｍｍ幅、５５０〜６５０ｍｍ高さのフットボードは、両ボードともに内面側に、サイドフレームの端部を連結する位置にフック状金具を設けており、サイドフレームに取り付けたフック状金具にヘッドボードとフットボードの両端を固定させていることを特徴とする請求項１、又は請求項２に記載のベッドボードに磁着化粧板を使用した木製ベッド枠体。
【手続補正書】
【提出日】令和2年12月8日(2020.12.8)
【手続補正１】
【補正対象書類名】実用新案登録請求の範囲
【補正対象項目名】全文
【補正方法】変更
【補正の内容】
【実用新案登録請求の範囲】
【請求項１】
木製のヘッドボード及びフットボードの両側に、一対の木製のサイドフレームを連結している木製のベッド枠と、このベッド枠の内側に配設している金属枠と、前記金属枠に取り付けている昇降可能な押上機と、前記金属枠内の表面に張った金属製ネット体と、前記金属製ネット体に載せるマットレスとを備えるベッド本体とからなる福祉・看護・介護用ベッドの木製ベッド枠体において、頭部に位置するヘッドボード、及び足部に位置するフッドボードの表面の一部に、０．５〜３ｍｍの厚さのボンド磁性シートを付着可能になっている表装材とスチール箔と木質板とを含むボード状化粧板を取り付けていることを特徴とするベッドボードに磁着化粧板を使用した木製ベッド枠体。
【請求項２】
木製ベッド枠体におけるヘッドボード、及びフッドボード及びサイドフレームは、厚さ２０〜３０ｍｍの無垢材、合板積層体、ＭＤＦ、フラッシュボード、パチクルボードから選ばれた材料を使用して，その表面には、ボンド磁性シートを付着できる装飾性表装材であるボード状化粧板を貼り付けており、前記ボード状化粧板の表装材の表面は、０・０５〜１ｍｍの生地色から濃厚色、又は自然素材の木質の質感をもつ模様を施した紙体、又は突板、又は樹脂フイルムを貼って、磁気吸着力を持つ表面体内に２５〜２００μｍの厚さのスチール箔を含んでいる磁着可能なボード状化粧板になっていることを特徴とする請求項１に記載のベッドボードに磁着化粧板を使用した木製ベッド枠体。
【請求項３】
木製ベッド枠体におけるヘッドボード、及びフットボードは、ベッド本体の内表面と外表面と合わせた面積で３０〜１００％にボンド磁性シートを付着できる装飾性表装材を張り付けているボード状化粧板になり、前記ボード状化粧板に張るボンド磁性シートは、人物、自然、風景、アニメから選ばれた図柄、写真、及び計画表、或はメモ書表であって、色彩、模様、形状で自由に選択を行うことによって、それらの形状と併せて、色彩・模様で自由に選択を付着させるボンド磁性シートで、ベッド枠体のボード状化粧板の表面に付着させて使用できるようになっていることを特徴とする請求項１、又は請求項２に記載のベッドボードに磁着化粧板を使用した木製ベッド枠体。
【請求項４】
ベッド枠体の幅２５０〜３５０ｍｍのサイドフレームは、内側に置載ロッドを固定して、前記置載ロッドの上にマットレスを敷いたベッド本体に固着しており、９５０〜１０５０ｍｍ幅、７５０〜８５０ｍｍ高さのヘッドボードと、９５０〜１０５０ｍｍ幅、５５０〜６５０ｍｍ高さのフットボードは、両ボードともに内面側に、サイドフレームの端部を連結する位置にフック状金具を設けており、サイドフレームに取り付けたフック状金具にヘッドボードとフットボードの両端を固定させていることを特徴とする請求項１、又は請求項２に記載のベッドボードに磁着化粧板を使用した木製ベッド枠体。